(57)【要約】【課題】身体に治療をもたらすためのシステム及び方法を提供する。【解決手段】本発明は、身体に治療をもたらすためのパッチ及び方法に関する。このパッチ及び方法は、身体の身体上の起伏の大きな部位にパッチを付加するために使用者又は療法士に柔軟性を提供する。一部の実施形態では、パッチは、パッチが身体上に置かれた時に身体に治療を加える本体を含む。パッチは、更に、パッチの本体に少なくとも１つの切れ目を含む。他の例示的な実施形態では、本発明は、身体に治療をもたらす方法に関する。本方法は、身体に治療をもたらすパッチを選択する段階を含む。パッチは、本体と本体における少なくとも１つの切れ目とを含む。本方法は、更に、身体にパッチを付加する段階を含み、本体の切れ目は、パッチが身体に付加される時にパッチを身体に適合させる。【選択図】図１
2008504869.tif 000002
【特許請求の範囲】
【請求項１】
治療のためのパッチであって、
身体上に置かれた時に該身体に治療を加える本体と、
前記本体における切れ目と、
を含み、
前記本体は、前記切れ目で分離可能であり、パッチを前記身体上に取り付けるのを容易にする、
ことを特徴とするパッチ。
【請求項２】
前記本体は、材料を充填した包囲体を含むことを特徴とする請求項１に記載のパッチ。
【請求項３】
前記本体は、周囲部を含み、前記切れ目は、該本体の該周囲部から該本体内に延びていることを特徴とする請求項１に記載のパッチ。
【請求項４】
前記切れ目は、直線的であることを特徴とする請求項１に記載のパッチ。
【請求項５】
前記本体は、コンマチョウ形状であることを特徴とする請求項１に記載のパッチ。
【請求項６】
前記本体は、第１の切れ目が第１の端部の中央部分から該本体内に延び、第２の切れ目が第２の端部の中央部分から該本体内に延びるような第１の端部及び第２の端部を含むことを特徴とする請求項５に記載のパッチ。
【請求項７】
前記本体は、引き裂かれて前記切れ目を形成する穿孔部分を含むことを特徴とする請求項１に記載のパッチ。
【請求項８】
前記穿孔部分は、スリットで形成されていることを特徴とする請求項７に記載のパッチ。
【請求項９】
パッチを前記身体上に固定するために前記本体上に取り付けられた接着剤を更に含むことを特徴とする請求項１に記載のパッチ。
【請求項１０】
身体に治療をもたらす方法であって、
本体と該本体における切れ目とを含む治療をもたらすパッチを選択する段階と、
前記パッチを身体に付加する段階と、
を含み、
前記本体の前記切れ目は、前記パッチの該本体が前記身体に適合することを可能にする、
ことを特徴とする方法。
【請求項１１】
前記パッチを付加する段階は、前記身体上の皮膚に該パッチを付加する段階を含むことを特徴とする請求項１０に記載の方法。
【請求項１２】
前記本体の穿孔部分を引き裂いて、該本体に前記切れ目を形成する段階を更に含むことを特徴とする請求項１０に記載の方法。
【請求項１３】
前記パッチの前記本体は、複数の切れ目を含み、そのために該パッチを付加する段階は、該本体の該複数の切れ目を分離して該パッチを前記身体に適合させる段階を含むことを特徴とする請求項１０に記載の方法。
【請求項１４】
前記パッチを付加する段階は、前記身体に熱パッチを付加する段階を含むことを特徴とする請求項１０に記載の方法。
【請求項１５】
治療用パッチを製作する方法であって、
身体上に置かれた時に該身体に治療をもたらす本体を形成する段階と、
前記本体に切れ目を形成し、そのために該本体が該切れ目で分離可能であり、前記パッチを前記身体上に取り付けることを容易にする段階と、
を含むことを特徴とする方法。
【請求項１６】
本体を形成する段階は、該本体に穿孔部分を形成する段階を含むことを特徴とする請求項１５に記載の方法。
【請求項１７】
前記本体に切れ目を形成する段階は、前記穿孔部分を引き裂く段階を含むことを特徴とする請求項１６に記載の方法。
【請求項１８】
前記本体に切れ目を形成する段階は、該本体を薄切りにして該切れ目を形成する段階を含むことを特徴とする請求項１５に記載の方法。
【請求項１９】
前記本体に複数の切れ目を形成し、そのために該本体が該切れ目の各々で分離可能であり、前記パッチを前記身体上に取り付けることを容易にする段階を更に含むことを特徴とする請求項１５に記載の方法。
【請求項２０】
本体を形成する段階は、包囲体と該包囲体内部の材料とを含む本体を形成する段階を含むことを特徴とする請求項１５に記載の方法。
【発明の詳細な説明】
【技術分野】
【０００１】
本発明の一部の実施形態は、身体に治療をもたらすためのシステム及び方法、特に、身体に治療をもたらすために身体上にパッチを置く段階を含むシステム及び方法に関する。
【背景技術】
【０００２】
身体の様々な部分に治療を施すことは、多くの種類の身体的な問題を治癒又は軽減させるための認められた医療である。１つの例示的な治療は、腫れ、炎症、及び／又は筋肉痛を軽減させるために身体の部位近くにアイスパックを付加することで身体の部位を冷却する段階を伴っている。別の例示的な治療は、凝り、筋肉痛、手足の冷え、腰痛、リウマチ、及び神経痛（とりわけ）のような症状を治療するために発熱パッドを用いて身体のある一定の部位に熱を加えるものである。他の治療は、鎮痛剤（痛みに対して）又は抗生物質（感染症に対して）を身体のその部位に付加する段階を含む。
【０００３】
治療を施すために発熱パッド及びアイスパックを用いる１つの問題は、これらは、負傷者又は負傷者を介助する誰かによって所定位置に保持する必要があるので、身体のある一定の部位に付着させることが困難なことである。発熱パッド又はアイスパックを身体の負傷した部位に対して保持することは、所定位置にアイスパック又は発熱パッドを保持するために比較的大きな力を一般的に必要とするので、患者に不快感をもたらす可能性がある。
身体の部位を冷却又は加熱する別の方法は、身体の部位に対してホット又はコールドパッチを付加する段階を含む。パッチは、典型的には接着剤を用いて身体の部位に直接又は間接的に付加される。部位を痛み及び／又は感染に関して治療するために、鎮痛剤及び／又は抗生物質もまた、このようなパッチ内に組み込むことができる。
【０００４】
典型的なコールドパッチは、コールドパッチ内で起こる吸熱反応を通じて冷却を発生する。コールドパッチは、通常は、共に共通の包囲体内に格納された溶質及び液体を含む。液体及び溶質は、最初は包囲体内で一方から隔離され、次に、包囲体内で混合されてコールドパッチの温度を低下させる吸熱溶液を形成する。
典型的な熱パッチは、熱パッチ内で起こる発熱反応を通じて熱を発生する。発熱反応を用いて熱を発生する熱パッチは、通常は、包囲体及び包囲体内に格納された発熱組成物を含む。包囲体の少なくとも１つの区域は、発熱組成物の空気への露出が熱パッチの温度を上昇させる発熱反応を発生するように空気透過性である。
【０００５】
治療を施すためにパッチを用いる１つの欠点は、これらが一般的にある一定の大きさ及び形状に作られることである。従って、特定のパッチは、身体の身体の一部の部位に治療を施すのに適するが、他の部位には適さない場合がある。更に、多くの従来のパッチは、パッチが身体に付加される時に身体の身体の起伏の大きな部位に適合させることができない。
使用者又は療法士が身体に都合よく治療をもたらすことを可能にするパッチ及び方法に対する必要性が存在する。パッチ及び方法は、使用者又は療法士が身体の身体の起伏の大きな部位に治療をもたらすことを可能にすべきである。
【０００６】
【特許文献１】米国特許第４，６６３，２２０号
【特許文献２】米国特許第５，２２６，９９２号
【特許文献３】欧州特許出願番号ＥＰ０２１７０３２
【発明の開示】
【０００７】
本発明は、身体に治療をもたらすためのパッチ及び方法に関する。このパッチ及び方法は、身体の身体上の起伏の大きな部位にパッチを付加するために使用者又は療法士に柔軟性を提供する。
一部の例示的な実施形態では、本発明は、身体に治療をもたらすためのパッチに関する。パッチは、パッチが身体上に置かれた時に身体に治療を加える本体を含む。パッチは、更に、パッチの本体に少なくとも１つの切れ目を含む。本体は、切れ目の区域でパッチにより柔軟性を与えるために切れ目で分離可能である。一部の実施形態では、パッチの本体は、周囲部を含み、切れ目は、本体の周囲部から本体内に延びている。
【０００８】
他の例示的な実施形態では、本発明は、身体に治療をもたらす方法に関する。本方法は、身体に治療をもたらすパッチ（例えば、熱パッチ又は冷却パッチ）を選択する段階を含む。パッチは、本体と本体における少なくとも１つの切れ目とを含む。本方法は、更に、身体にパッチを付加する段階を含み、本体の切れ目は、パッチが身体に付加される時にパッチを身体に適合させる。
更に他の例示的な実施形態では、本発明は、身体に治療をもたらすパッチを製作する方法に関する。本方法は、パッチが身体上に置かれた時に身体に治療をもたらす本体を形成する段階を含む。本方法は、更に、身体上にパッチを取り付けることを容易にするために本体が切れ目で分離可能であるように本体に少なくとも１つの切れ目を形成する段階を含む。
【０００９】
本発明の目的及び特徴は、以下の説明に示されている。本発明の付加的な特徴は、記述する説明及び本明細書の特許請求の範囲、並びに添付図面に特に示された製品及び方法によって実現及び達成されることになる。
以下の詳細説明及び添付図面を参照すると、本発明がより完全に理解され、更に別の特徴が明らかになるであろう。図面は、単に例示的であり、特許請求の範囲を限定する意図ではない。図面に表された同じ部分は、同じ参照番号によって参照される。
【発明を実施するための最良の形態】
【００１０】
以下の詳細説明においては、本発明を実施することができる具体的な実施形態を示す添付図面を参照する。これらの実施形態は、当業者が本発明を実施することができるように十分詳細に説明される。以下の詳細説明が限定的な意味に取られないように、他の実施形態を利用し、かつ構造上の変更を行うことができることは理解されるものとする。
図１は、身体に治療をもたらすためのパッチ１０を示している。パッチ１０は、パッチ１０が身体上に置かれた時に身体に治療を加える本体１２を含む。パッチ１０は、更に、本体１２に少なくとも１つの切れ目１４を含む。
【００１１】
図２に示すように、パッチ１０の本体１２は、切れ目１４で分離可能である。図１及び図２に示す例示的な実施形態では、本体１２は、周囲部１６を含み、切れ目１４は、本体１２の周囲部１６から本体１２内に延びている。
図３は、パッチ１０が身体１００に付加された時に、切れ目１４は、切れ目１４の区域でパッチ１０により柔軟性を与えることができることを示している。切れ目１４でのパッチ１０の柔軟性の増大は、身体１００の起伏の大きな部位上にパッチ１０をより容易に適合させることができる。
【００１２】
図１及び図２を再度参照すると、本体１２は、コンマチョウ形状であり、第１の端部１５及び第２の端部１７を含むことができる。第１の切れ目１４は、第１の端部１５の中央部分１９から本体１２内に延びることができ、第２の切れ目１４は、第２の端部１７の中央部分２１から本体１２内に延びることができる。
本体１２は、図１及び図２にコンマチョウ形状として示されているが、本体１２は、他の形状及び／又は大きさとすることができることに注意すべきである。パッチ１０の適正な大きさ及び形状は、パッチ１０が使用される用途に依存することになる。一部の形態では、パッチ１０は、身体の身体の腕、脚、頭、又は胴の周りに適合するように十分長くすることができる。
本明細書で用いられる場合、パッチは、身体に治療を加えるために用いることができるあらゆる種類のパッチ、パック、バッグ、又はポーチを意味する。更に、パッチ１０は、身体に直接又は間接に付着可能とすることができる。
【００１３】
図４〜図５に示すように、パッチ１０は、部分的又は完全に引き裂かれて切れ目１４（図５）を形成する穿孔部分２３（図４）を含むことができる。一部の実施形態では、穿孔部分２３は、スリット２４で形成される。スリット２４は、図４に示されているが、穴及び欠刻（とりわけ）のような他の種類の穿孔を本体１２に含めることができることに注意すべきである。
スリット２４は、本体１２の一部を薄切りにすることによって穿孔部分２３に形成することができる。穿孔部分２３内の薄切りにされない材料に対する薄切りにされた材料の比率が、スリット２４の大きさを決める。各穿孔部分２３におけるスリット２４の全体の大きさが大きくなると、穿孔部分２３を引き裂くことによって切れ目１４を形成することがより容易になる。
他の実施形態では、切れ目１４は、パッチ１０の本体１２を薄切りにすることによって形成することができる。切れ目１４は、身体１００上へのパッチ１０の取り付けを容易にする直線、曲線、コンマチョウ形状、又はあらゆる他の形状とすることができることに注意すべきである。
【００１４】
図６は、パッチ１０が、身体１００に加熱治療を加えるのに用いることができる熱パッチである例示的な実施形態を示している。一部の形態では、熱パッチ１０の本体１２は、包囲体３０と包囲体３０内部に密封された加熱組成物３２とを含むことができる。加熱組成物３２は、外気中に含まれる酸素のような気体が包囲体３０の気体透過性部分３４を通って受け取られた時に熱を発生することが可能とすることができる。
【００１５】
パッチ１０が熱パッチである場合、それは、熱パッチが密封環境から取り出されるまで加熱組成物が不活性のままであるように、密封環境（例えば、密封バッグ）に保管することができる。パッチ１０が密封環境から取り出された状態で、包囲体３０内の加熱組成物３２は、熱パッチ１０の本体１２内で発熱反応が起こるように空気に露出される。発熱反応は、パッチ１０内に熱を発生してパッチ１０の温度を上昇させる。
あらゆる従来の加熱組成物を使用して、パッチ１０内に発熱反応を誘発させることができる。一部の例示的な加熱組成物は、主要有効成分として鉄粉を含む。
【００１６】
図７及び図８は、パッチ１０が、身体１００に冷却治療を加えるのに用いることができる冷却パッチである別の例示的な実施形態を示している。一部の形態では、パッチ１０の本体１２は、溶質４２及び液体４４を内部に密封した包囲体４０を含むことができる。溶質４２及び液体４４は、最初は膜４６によって包囲体４０内で分離されている（図７）。包囲体４０内の膜４６を破壊することは（例えば、包囲体４０に圧力を加えることにより）、液体４４を溶質４２と混合して包囲体４０内に吸熱溶液４８を生成する（図８）。
あらゆる従来の吸熱溶質を使用して、コールドパッチ内に吸熱反応を誘発させることができる。１つの例示的な吸熱溶質は、硝酸アンモニウムを含む。
本明細書に示し、説明し、及び／又は参照したパッチ１０のいずれにおいても、パッチの１つ又はそれよりも多くは、身体１００に加えられる経皮及び／又は局所薬物のような薬物を含むことができることに注意すべきである。一部の例示的な薬物は、局所鎮痛剤及び／又は抗生物質を含む。
【００１７】
更に、パッチ１０のいずれも、ハーブ、ビタミン、及び／又は植物性薬剤のような様々な治療添加剤で処理することができる。一部の例示的な植物性薬剤は、ラベンダー、カモミール、保湿剤、脂質、エッセンシャルオイル、及び香料を含む。別の例示的な治療添加剤は、粒子チップ及び／又はディスクのような磁気要素を含むことができる。治療添加剤は、パッチの内側にあるか又は直接パッチ上に吹き付けることができると考えられる。
本明細書に説明したパッチ１０のいずれも、非ステロイド性抗炎症薬剤を含むこともできることに注意すべきである。一部の例示的な非ステロイド性抗炎症剤は、アスピリン、イブプロフェン、ケトプロフェン、及びナプロキセンナトリウムを含む（とりわけ）。一部の形態では、非ステロイド性抗炎症剤は、処方箋でのみ入手可能な薬剤とすることができる。
【００１８】
パッチ１０はまた、様々な皮膚疾患からの治療をもたらすために罹患皮膚部位に付加することができる。一部の例示的な疾患は、日焼け、熱傷、虫刺され、水虫、乾燥肌、又は他の慢性皮膚病状に起因する炎症を含む。
本明細書に説明する治療のあらゆる組合せは、パッチ１０の一部とすることができることに注意すべきである。一例として、パッチ１０は、経皮鎮痛剤も含む熱パッチとすることができる。
【００１９】
図９は、図１〜図２に示すパッチ１０の反対側を示している。図示の例示的な実施形態では、パッチ１０は、パッチ１０を身体１００に固定するためにパッチ１０上に取り付けられた接着剤３４を含む。パッチ１０は、更に、接着剤３４を保護するために接着剤３４上に取り付けられた取外し可能カバー３５を含むことができる。パッチ１０が身体１００に付着された時に、取外し可能カバー３５を取り除いて接着剤３４を露出することができる。
一部の実施形態では、接着剤３４は、スチレン−イソプレン−スチレンコポリマーを含むことができる。一例として、接着剤は、ホットメルト、シリコーン、又はヒドロゲルとすることができるが、あらゆる従来の接着剤を使用することもできる。更に、取外し可能カバー３５は、ポリエチレンフィルム、シリコーン被覆ペーパー、又は接着剤３４から分離することができるあらゆる他の材料とすることができる。
【００２０】
図１０及び図１１は、パッチ１０の切れ目１４が説明のために分離されたパッチ１０の反対側に対する付加的な例示的実施形態を示している。図１０及び図１１に示す例示的な実施形態では、パッチ１０は、本体１２の切れ目１４の１つ又はそれよりも多くにわたって本体１２に取り付けられた少なくとも１つの付加的な層４０を含む。層４０は、切れ目１４が位置する本体１２の部分だけを覆うことができ（図１０）、又は本体１２の一方の側面全体を覆うことができる（図１１）ことに注意すべきである。
【００２１】
層４０は、本体１２の切れ目１４でパッチ１０にある程度の弾力性をもたらすために本体１２よりも弾性又は伸張性とすることができる。弾性又は伸張性材料は、少なくとも一方向の伸長が可能である。弾性である材料は、延伸力を解除すると回復又は収縮することが可能であるが、伸張性である材料は、延伸力を解除する時に回復に限度がある。層４０のための一部の例示的な材料は、弾性又は伸張性フィラメント、フィルム、発泡体、ネット、ウェブ、又は２つ又はそれよりも多くの材料の積層体を含む（とりわけ）。
【００２２】
例示的な弾性材料は、スパンデックス又は天然ゴムを含む。更に、積層体は、ストレッチ−ボンデッド積層体、又はネック−ボンデッド積層体を含むことができるであろう。このような材料を作る方法は、当業者には公知であり、Ｗｉｓｎｅｓｋｉ他に付与された米国特許第４，６６３，２２０号、Ｍｏｒｍａｎに付与された米国特許第５，２２６，９９２号、及びＴａｙｌｏｒ他に付与された欧州特許出願番号ＥＰ０２１７０３２に説明されている。
【００２３】
身体１００に治療をもたらす方法は、図１〜図１１を参照して本明細書に説明されている。本方法は、身体１００に治療をもたらすパッチ１０（例えば、熱パッチ又は冷却パッチ）を選択する段階を含む。パッチ１０は、本体１２と本体１２における少なくとも１つの切れ目１４とを含む。本方法は、更に、身体１００にパッチ１０を付加する段階を含み、本体１２の切れ目１４は、パッチ１０が身体１００に付加された時に、パッチ１０が身体１００に適合することを可能にする（図３）。
【００２４】
図４及び図５は、本方法の一部の実施形態が、本体１２の穿孔部分２３を引き裂いて本体１２の切れ目１４を形成する段階を更に含むことができることを示している。更に、図３は、パッチ１０は、身体１００上の皮膚に直接付加することができるが、他の実施形態では、パッチ１０は、身体１００を覆う衣類又は包帯上に付加することもできることを示している。
一部の実施形態では、身体１００にパッチ１０を付加する段階は、パッチ１０上の接着剤３４を保護するカバー３５を取り外す段階、及び接着剤３４を用いて身体１００にパッチ１０を接着する段階を含むことができる（図９）。パッチ１０はまた、接着包帯、弾性包帯、テープ、ラップ、及び／又は弾性ラップを用いて（とりわけ）、身体１００に対して保持することができる。
パッチ１０を身体１００に付加する段階が、パッチ１０を身体１００に適合させるために本体１２の複数の切れ目１４を分離することを含むように、パッチ１０は、あらゆる数の切れ目１４を含むことができることに注意すべきである。切れ目１４の適正な数、大きさ、種類、及び形状は、パッチ１０が使用される用途に依存することになる。
【００２５】
身体１００に治療をもたらすパッチ１０を製作する方法は、図１〜図１１を参照して本明細書に説明されている。本方法は、パッチ１０が身体１００上に置かれた時に身体１００に治療をもたらす本体１２を形成する段階を含む。本方法は、更に、身体１００上へのパッチ１０の取り付けを容易にするために切れ目１４で本体１２が分離可能であるように、本体１２に少なくとも１つの切れ目１４形成する段階を含む（図３）。
【００２６】
一部の実施形態では、本体１２を形成する段階は、切れ目１４が穿孔部分２３を引き裂くことによって形成されるように、本体１２に穿孔部分２３を形成する段階を含むことができる（例えば、図４及び図５を参照）。他の実施形態では、本体１２に切れ目１４を形成する段階は、切れ目１４を形成するために本体１２を薄切りにする段階を含むことができる。切れ目１４は、本体１２に順次又は同時に形成することができることに注意すべきである。切れ目１４でのパッチ１０の柔軟性の増大は、パッチ１０を身体１００の起伏の大きな部位上により容易に適合させることができる。
【００２７】
一部の例示的な実施形態では、本体１２を形成する段階は、包囲体と包囲体内部の材料とを含む本体１２を形成する段階を含むことができる（例えば、図６の包囲体３０、及び図７及び図８の包囲体４０を参照）。一例として、本方法は、包囲体内部に発熱材料を配置する段階を含むことができる（図６）。
図１０及び図１１に示すように、本方法は、更に、本体１２の切れ目１４にわたってパッチ１０の本体１２上に１つ又はそれよりも多くの層４０を配置する段階を含むことができる（１つの層４０が、図１０及び図１１に示されている）。層４０は、層４０が本体１２の切れ目１４でパッチ１０にある程度の弾力性をもたらすように、本体１２よりも弾性とすることができる。
【００２８】
上述の方法に関して説明した操作は、本明細書に説明したものとは異なる順序で実行することができる。更に、図１〜図１１は、具象的であって必ずしも縮尺通りではない。そのいくつかの比率は誇張されているが、他は縮小されている場合がある。
本発明をその具体的な態様に関して詳細に説明したが、当業者が、以上の理解に達した時に、特許請求の範囲に従って評価されるべきである本発明の精神及び範囲に該当するこれらの態様に対する変更、変形、及び均等物を容易に考えることができることは認められるであろう。
【図面の簡単な説明】
【００２９】
【図１】身体に治療をもたらすための例示的パッチの平面図である。
【図２】パッチの本体の切れ目が分離された図１に示すパッチの平面図である。
【図３】身体上に取り付けた図１及び図２に示すパッチを示す平面図である。
【図４】身体に治療をもたらすためのパッチの別の例示的な実施形態の平面図である。
【図５】パッチの本体の穿孔を引き裂いてパッチの本体に切れ目を形成した図４に示すパッチの平面図である。
【図６】パッチが熱パッチである例示的な実施形態を示す、線６−６に沿った図１に示すパッチの断面図である。
【図７】膜によって包囲体内部で分離された吸熱溶質及び液体を含む冷却パッチの例示的な実施形態を示す、線７−７に沿った図４に示すパッチの断面図である。
【図８】包囲体内の膜が吸熱溶質を液体と混合するために破壊されて包囲体内部に吸熱溶液を形成した図７と同様の断面図である。
【図９】図１〜図２に示すパッチの例示的な反対側を示す平面図である。
【図１０】説明のためにパッチの切れ目を分離したパッチの反対側に対する付加的な例示的実施形態を示す平面図である。
【図１１】説明のためにパッチの切れ目を分離したパッチの反対側に対する付加的な例示的実施形態を示す平面図である。
【符号の説明】
【００３０】
１０  パッチ
１２  本体
１４  切れ目
【図１】
2008504869.tif 000003
【図２】
2008504869.tif 000004
【図３】
2008504869.tif 000005
【図４】
2008504869.tif 000006
【図５】
2008504869.tif 000007
【図６】
2008504869.tif 000008
【図７】
2008504869.tif 000009
【図８】
2008504869.tif 000010
【図９】
2008504869.tif 000011
【図１０】
2008504869.tif 000012
【図１１】
2008504869.tif 000013
【国際調査報告】
2008504869.tif 000014
2008504869.tif 000015